(57)【要約】  デジタルコンテンツの再生制御を行うデジタルコンテンツ再生用制御信号であって、タイムコード信号が記録された所定の周波数の第１制御信号（ＳＧ１）と、第１制御信号の周波数の２ｎ（ｎは自然数）倍の周波数の第２制御信号（ＳＧ２）と、を備え、第１制御信号（ＳＧ１）の波形のゼロクロスポイントが、第２制御信号（ＳＧ２）のゼロクロスポイントと時間軸上で一致するように組み合わされている。
2017056153.tif 000002
【特許請求の範囲】
【請求項１】
デジタルコンテンツの再生制御を行うデジタルコンテンツ再生用制御信号であって、
タイムコード信号が記録された所定の周波数の第１制御信号と、
前記第１制御信号の周波数の２ｎ（ｎは自然数）倍の周波数の第２制御信号と、を備え、
前記第１制御信号の波形のゼロクロスポイントが、前記第２制御信号のゼロクロスポイントと時間軸上で一致するように組み合わされたことを特徴とするデジタルコンテンツ再生用制御信号。
【請求項２】
請求項１に記載のデジタルコンテンツ再生用制御信号が記録されていることを特徴とするレコード盤。
【請求項３】
タイムコードが記録された所定の周波数の第１制御信号と、前記第１制御信号の周波数の２ｎ（ｎは自然数）倍の周波数の第２制御信号と、を備え、前記第１制御信号の波形のゼロクロスポイントが、前記第２制御信号の波形のゼロクロスポイントと時間軸上で一致するように組み合わされたデジタルコンテンツ再生用制御信号が記録されたレコード盤と、
前記レコード盤に記録された前記デジタルコンテンツ再生用制御信号を再生する信号再生装置と、
再生された前記デジタルコンテンツ再生用制御信号に基づいて、デジタルコンテンツの再生処理を行う再生処理装置と、を備え、
前記再生処理装置は、
前記第１制御信号のゼロクロスポイントの検出に基づいて、前記第２制御信号の極性を検出して、前記レコード盤の再生方向を判定する再生方向判定部と、
前記再生方向判定部の判定結果に基づいて、前記デジタルコンテンツの再生制御を行う再生制御部と、
前記再生制御部により制御され、前記デジタルコンテンツの再生処理を行う再生処理部と、
を備えていることを特徴とするデジタルコンテンツ再生システム。
【請求項４】
タイムコードが記録された所定の周波数の第１制御信号と、前記第１制御信号の周波数の２ｎ（ｎは自然数）倍の周波数の第２制御信号と、を備え、前記第１制御信号の波形のゼロクロスポイントが、前記第２制御信号の波形のゼロクロスポイントと時間軸上で一致するように組み合わされたデジタルコンテンツ再生用制御信号が記録されたレコード盤と、
前記レコード盤に記録された前記デジタルコンテンツ再生用制御信号を再生する信号再生装置と、
前記信号再生装置から入力された前記デジタルコンテンツ再生用制御信号に基づいて、デジタルコンテンツの再生処理装置の制御を行う再生制御装置と、
を備え、
前記再制御装置は、
前記第１制御信号のゼロクロスポイントの検出に基づいて、前記第２制御信号の極性を検出して、前記レコード盤の再生方向を判定する再生方向判定部と、
前記再生方向判定部の判定結果に基づいて、前記デジタルコンテンツの再生制御信号を、デジタルコンテンツの再生処理装置に出力する再生制御部と、
を備えていることを特徴とするデジタルコンテンツ再生制御システム。
【請求項５】
タイムコードが記録された所定の周波数の第１制御信号と、前記第１制御信号の周波数の２ｎ（ｎは自然数）倍の周波数の第２制御信号と、を備え、前記第１制御信号の波形のゼロクロスポイントが、前記第２制御信号の波形のゼロクロスポイントと時間軸上で一致するように組み合わされたデジタルコンテンツ再生用制御信号が入力され、
入力されたデジタルコンテンツ再生用制御信号に基づいて、再生処理部の制御を行う再生制御部を備えていることを特徴とするデジタルコンテンツ再生制御装置。
【請求項６】
タイムコードが記録された所定の周波数の第１制御信号と、前記第１制御信号の周波数の２ｎ（ｎは自然数）倍の周波数の第２制御信号と、を備え、前記第１制御信号の波形のゼロクロスポイントが、前記第２制御信号の波形のゼロクロスポイントと時間軸上で一致するように組み合わされたデジタルコンテンツ再生用制御信号が入力される手順と、
入力されたデジタルコンテンツ再生用制御信号に基づいて、デジタルコンテンツの再生方向を判定する手順と、
判定された再生方向に基づいて、デジタルコンテンツの再生処理または再生制御を行う手順と、
を実施することを特徴とするデジタルコンテンツ再生方法。
【請求項７】
タイムコードが記録された所定の周波数の第１制御信号と、前記第１制御信号の周波数の２ｎ（ｎは自然数）倍の周波数の第２制御信号と、を備え、前記第１制御信号の波形のゼロクロスポイントが、前記第２制御信号の波形のゼロクロスポイントと時間軸上で一致するように組み合わされたデジタルコンテンツ再生用制御信号が入力される手順と、
入力されたデジタルコンテンツ再生用制御信号に基づいて、デジタルコンテンツの再生方向を判定する手順と、
判定された再生方向に基づいて、デジタルコンテンツの再生処理または再生制御を行う手順と、
をコンピュータに実行させることを特徴とするデジタルコンテンツ再生プログラム。
【発明の詳細な説明】
【技術分野】
【０００１】
本発明は、デジタルコンテンツ再生用制御信号、この制御信号が記録されたレコード盤、デジタルコンテンツ再生システム、デジタルコンテンツ再生制御システム、デジタルコンテンツ再生制御装置、デジタルコンテンツ再生方法、及びデジタルコンテンツ再生プログラムに関する。
【背景技術】
【０００２】
デジタルコンテンツを再生する技術として、ＤＶＳ（Digital Vinyl System）が知られている。
ＤＶＳは、タイムコード信号が記録された専用レコード盤と、レコードプレーヤー、ＣＤプレーヤー等の信号再生装置、オーディオインターフェース等のアナログデジタル変換装置、コンピューター、及びミキサー、スピーカー等の再生出力装置とを備える。
レコードプレーヤー上でタイムコード（時間の情報）が記録された専用レコード盤を再生し、そのタイムコード信号を、オーディオインターフェースにてＡ／Ｄ変換した後、コンピューターに出力する。【０００３】
コンピューターは、再生中の楽曲データから音声信号を抽出するとともに、コンピューター上で設定された音響効果を施し、送信されたタイムコードに対応する音声信号をオーディオインターフェースに出力する。
オーディオインターフェースは、コンピューターから入力された音声信号をミキサーに出力し、ミキサーは、当該音声信号をパワーアンプおよびスピーカー等の再生出力装置に出力する。【０００４】
このようなＤＶＳでは、プレーヤーがレコードプレーヤーでスクラッチ操作や、ピッチベンド操作を行うことにより、タイムコード信号がこれらの操作に応じて再生されるため、プレーヤーの操作に応じた音声信号を再生出力することができる。そして、コンピューター内で種々の音響効果を与えることができるため、極めて演出効果の高いＤＪパフォーマンスを実現することができる。【０００５】
特許文献１に記載の発明では、ＤＶＳで使用される専用レコード盤において、ピックアップで再生される左右のタイムコード信号として、同じ周波数の信号の位相が相対的にシフトした状態で記録されたものが開示されている。
そして、特許文献１に記載の発明では、左右のタイムコード信号の位相のシフトの状態を利用して、一方のタイムコード信号が負から正に変化するゼロクロスポイントを検出し、その際の他方のタイムコード信号の極性が正負どちらであるかを検出することにより、順方向回転か、逆方向回転かを判定している。
【先行技術文献】
【特許文献】
【０００６】
【特許文献１】特表２００３−５２５５１０号公報
【発明の概要】
【発明が解決しようとする課題】
【０００７】
しかしながら、前記特許文献１に記載の発明では、左右のタイムコード信号の周波数が同じであるため、プレーヤーがターンテーブルを高速で操作した場合、所定のサンプル期間で検出されるゼロクロスポイントの間隔が短くなってしまい、信号再生装置の周波数特性の制約を受け、ゼロクロスポイントが検出しにくくなる可能性がある。
一方で、予めタイムコード信号の周波数を低くしておくと、プレーヤーがターンテーブルを低速で操作した場合、ゼロクロスポイントの検出に時間がかかり、処理時間が増加するという問題が一例として挙げられる。【０００８】
本発明の目的は、プレーヤーがターンテーブルを高速、低速で操作してもゼロクロスポイントを明確に検出することができ、かつ処理時間の短縮を図ることのできるデジタルコンテンツ再生用制御信号、この制御信号が記録されたレコード盤、デジタルコンテンツ再生システム、デジタルコンテンツ再生制御システム、デジタルコンテンツ再生制御装置、デジタルコンテンツ再生方法、及びデジタルコンテンツ再生プログラムを提供することにある。
【課題を解決するための手段】
【０００９】
本発明の第１の態様に係るデジタルコンテンツ再生用制御信号は、デジタルコンテンツを再生制御するデジタルコンテンツ再生用制御信号であって、
タイムコードが記録された所定の周波数の第１制御信号と、
前記第１制御信号の周波数の２ｎ（ｎは自然数）倍の周波数の第２制御信号と、を備え、
前記第１制御信号のゼロクロスポイントが、前記第２制御信号のゼロクロスポイントと、時間軸上で一致するように組み合わされたことを特徴とする。【００１０】
本発明の第２の態様に係るレコード盤は、第１の態様に係るデジタルコンテンツ再生用制御信号が記録されたことを特徴とする。【００１１】
本発明の第３の態様に係るデジタルコンテンツ再生システムは、
タイムコードが記録された所定の周波数の第１制御信号と、前記第１制御信号の周波数の２ｎ（ｎは自然数）倍の周波数の第２制御信号と、を備え、前記第１制御信号の波形のゼロクロスポイントが、前記第２制御信号の波形のゼロクロスポイントと時間軸上で一致するように組み合わされたデジタルコンテンツ再生用制御信号が記録されたレコード盤と、
前記レコード盤に記録された前記デジタルコンテンツ再生用制御信号を再生する信号再生装置と、
再生された前記デジタルコンテンツ再生用制御信号に基づいて、デジタルコンテンツの再生処理を行う再生処理装置と、を備え、
前記再生処理装置は、
前記第１制御信号のゼロクロスポイントの検出に基づいて、前記第２制御信号の極性を検出して、前記レコード盤の再生方向を判定する再生方向判定部と、
前記第１制御信号及び前記第２制御信号のいずれかのゼロクロスポイントを検出して、前記レコード盤の再生速度を判定する再生速度判定部と、
前記第１制御信号に記録されたタイムコードを復号して、前記レコード盤の再生位置を判定する再生位置判定部と、
前記再生方向判定部、前記再生速度判定部、及び前記再生位置判定部の判定結果に基づいて、前記デジタルコンテンツの再生制御を行う再生制御部と、
前記再生制御部により制御され、前記デジタルコンテンツの再生処理を行う再生処理部と、を備えていることを特徴とする。【００１２】
本発明に係るデジタルコンテンツ再生制御システムは、
タイムコードが記録された所定の周波数の第１制御信号と、前記第１制御信号の周波数の２ｎ（ｎは自然数）倍の周波数の第２制御信号と、を備え、前記第１制御信号の波形のゼロクロスポイントが、前記第２制御信号の波形のゼロクロスポイントと時間軸上で一致するように組み合わされたデジタルコンテンツ再生用制御信号が記録されたレコード盤と、
前記レコード盤に記録された前記デジタルコンテンツ再生用制御信号を再生する信号再生装置と、
前記信号再生装置から入力された前記デジタルコンテンツ再生用制御信号に基づいて、デジタルコンテンツの再生処理装置の制御を行う再生制御装置と、
を備え、
前記再制御装置は、
前記第１制御信号のゼロクロスポイントの検出に基づいて、前記第２制御信号の極性を検出して、前記レコード盤の再生方向を判定する再生方向判定部と、
前記再生方向判定部の判定結果に基づいて、前記デジタルコンテンツの再生制御信号を、デジタルコンテンツの再生処理装置に出力する再生制御部と、
を備えていることを特徴とする。【００１３】
本発明に係るデジタルコンテンツ再生制御装置は、
タイムコードが記録された所定の周波数の第１制御信号と、前記第１制御信号の周波数の２ｎ（ｎは自然数）倍の周波数の第２制御信号と、を備え、前記第１制御信号の波形のゼロクロスポイントが、前記第２制御信号の波形のゼロクロスポイントと時間軸上で一致するように組み合わされたデジタルコンテンツ再生用制御信号が入力され、
前記デジタルコンテンツ再生用制御信号に基づいて、再生処理部の制御を行う再生制御部を備えていることを特徴とする。【００１４】
本発明に係るデジタルコンテンツ再生方法は、
タイムコードが記録された所定の周波数の第１制御信号と、前記第１制御信号の周波数の２ｎ（ｎは自然数）倍の周波数の第２制御信号と、を備え、前記第１制御信号の波形のゼロクロスポイントが、前記第２制御信号の波形のゼロクロスポイントと時間軸上で一致するように組み合わされたデジタルコンテンツ再生用制御信号が入力される手順と、
入力されたデジタルコンテンツ再生用制御信号に基づいて、デジタルコンテンツの再生方向を判定する手順と、
判定された再生方向に基づいて、デジタルコンテンツの再生処理を行う手順と、
を実施することを特徴とする。【００１５】
本発明に係るデジタルコンテンツ再生プログラムは、
タイムコードが記録された所定の周波数の第１制御信号と、前記第１制御信号の周波数の２ｎ（ｎは自然数）倍の周波数の第２制御信号と、を備え、前記第１制御信号の波形のゼロクロスポイントが、前記第２制御信号の波形のゼロクロスポイントと時間軸上で一致するように組み合わされたデジタルコンテンツ再生用制御信号が入力される手順と、
入力されたデジタルコンテンツ再生用制御信号に基づいて、デジタルコンテンツの再生方向を判定する手順と、
判定された再生方向に基づいて、デジタルコンテンツの再生処理を行う手順と、
をコンピューターに実行させることを特徴とする。
【図面の簡単な説明】
【００１６】
【図１】本発明の実施形態に係る音声再生システムの構成を表す模式図。
【図２】前記実施形態におけるレコード盤に記録されたタイムコード信号を表す模式図。
【図３】前記実施形態におけるコンピューターの構造を表す機能ブロック図。
【図４】前記実施形態における再生方向の判定方法を説明するための模式図。
【図５】前記実施形態における再生速度の判定方法を説明するための模式図。
【図６】前記実施形態における再生位置の判定方法を説明するための模式図。
【図７】前記実施形態における音声再生システムによる音声再生方法を説明するためのフローチャート。
【図８】前記実施形態における音声再生システムによる音声再生方法を説明するためのフローチャート。
【図９Ａ】前記実施形態の変形となるデジタルコンテンツ再生用制御信号の波形を表す模式図。
【図９Ｂ】前記実施形態の変形となるデジタルコンテンツ再生用制御信号の波形を表す模式図。
【図９Ｃ】前記実施形態の変形となるデジタルコンテンツ再生用制御信号の波形を表す模式図。
【図９Ｄ】前記実施形態の変形となるデジタルコンテンツ再生用制御信号の波形を表す模式図。
【図９Ｅ】前記実施形態の変形となるデジタルコンテンツ再生用制御信号の波形を表す模式図。
【図９Ｆ】前記実施形態の変形となるデジタルコンテンツ再生用制御信号の波形を表す模式図。
【発明を実施するための形態】
【００１７】
［１］システムの全体構成
図１には、本発明の実施形態に係るデジタルコンテンツ再生システムである音声再生システム１が示されている。この音声再生システム１は、信号再生装置として例示される２台のレコードプレーヤー２、オーディオインターフェース３、再生処理装置として例示されるコンピューター４、ミキサー５、及びスピーカー６を備える。
レコードプレーヤー２は、アナログのレコード盤Ｒを載置するターンテーブル７、レコード盤Ｒに記録された音声信号を再生する針を支持するトーンアーム８、及びターンテーブル７の回転速度を調整するためのピッチコントローラー９を備える。トーンアーム８の先端に設けられた針は、レコード盤Ｒの溝に沿って走行し、溝に記録されたタイムコード信号を左右２チャンネルのアナログ音声信号として出力する。
プレーヤーは、ターンテーブル７をスクラッチ操作したり、ピッチコントローラー９を操作することにより、レコード盤Ｒを逆回転させたり、低速回転、高速回転させることができる。
【００１８】
オーディオインターフェース３は、各レコードプレーヤー２から出力された２チャンネルのアナログ信号（タイムコード信号）が入力されると、これをデジタル変換して、コンピューター４のＵＳＢインターフェース等に出力する。
また、オーディオインターフェース３は、コンピューター４から、ＵＳＢインターフェース等を介してデジタルの音声信号が入力されると、これをアナログ変換し、２チャンネルのアナログ信号として、ミキサー５に出力する。
ミキサー５は、入力されたアナログ信号に対し、ミキサー５に搭載された各種操作子の操作状態に応じた音声処理（２台のレコードプレーヤー２の操作に基づく２種類の楽曲データのミキシング処理など）を行う。その後、ミキサー５は、スピーカー６に処理済み音声信号を出力する。
【００１９】
コンピューター４は、ディスプレイ、キーボード、マウス、ハードディスクドライブなど、一般的なコンピューターの構成を有しており、ハードディスクドライブには、ＤＶＳを実現するためのＤＪアプリケーションが格納されている。
また、コンピューター４は、オーディオインターフェース３から入力されたデジタルのタイムコード信号からタイムコードを復号し、再生中の楽曲データの当該タイムコードに相当する音声信号を、オーディオインターフェース３に出力する。なお、楽曲データは、コンピューター４内にあってもよいし、コンピューター４と通信可能な外部機器または外部サーバー内にあってもよい。本実施形態では、楽曲データが、コンピューター４内に記憶されているものとして説明する。また、本実施形態では、２台のレコードプレーヤー２が設けられているが、説明の便宜のため、以下の説明では、１台のレコードプレーヤー２との関係で説明を行う。
【００２０】
［２］レコード盤Ｒに記録されたタイムコード信号
レコード盤Ｒには、図２に示されるように、２つのチャンネルＣＨ１、ＣＨ２に、タイムコード信号が記録されている。タイムコード信号は、チャンネルＣＨ１に記録された第１制御信号ＳＧ１と、チャンネルＣＨ２に記録された第２制御信号ＳＧ２とを組み合わせて構成される。
第１制御信号ＳＧ１は、振幅が変化した信号であり、この振幅の変化を利用して、所定のビット列からなるタイムコードを記録している。タイムコードは、レコード盤Ｒの外周から内周に向かうレコード溝（トラック）の再生位置として複数記録されている。
【００２１】
第２制御信号ＳＧ２は、第１制御信号ＳＧ１の２倍の周波数とされており、図２の「○」部分で示されるように、第１制御信号ＳＧ１のゼロクロスポイントが、第２制御信号ＳＧ２のゼロクロスポイントと時間軸上で一致するように組み合わされている。
なお、本実施形態では第２制御信号ＳＧ２の周波数は、第１制御信号ＳＧ１の２倍とされているが、第１制御信号ＳＧ１の２ｎ倍（ｎは自然数）の周波数であれば、第２制御信号として用いることができる。
【００２２】
このようなレコード盤Ｒに記録された第１制御信号ＳＧ１及び第２制御信号ＳＧ２は、レコードプレーヤー２からアナログ信号としてオーディオインターフェース３に出力される。
オーディオインターフェース３は、入力されたアナログの第１制御信号ＳＧ１及び第２制御信号ＳＧ２をサンプリング周期Ｔでデジタル処理して、コンピューター４にデジタルの第１制御信号ＳＧ１及び第２制御信号ＳＧ２を出力する。
デジタル処理をするサンプリング周期Ｔの逆数であるサンプリング周波数は、例えば、ＣＤ等で用いられる４４．１ｋＨｚを採用することができ、第１制御信号ＳＧ１、第２制御信号ＳＧ２の周波数の上限は、サンプリング周波数の１／２の２２．０５ｋＨｚとなる。
【００２３】
［３］コンピューター４の機能的構造
図３には、コンピューター４の機能ブロック図が示されている。
コンピューター４は、オーディオインターフェース３から出力されたタイムコード信号に基づいて、プレーヤーがレコードプレーヤー２で行った操作に応じて、楽曲の再生処理を行うものであり、ＣＰＵ（Central Processing Unit）１０及びハードディスク１１を備える。
【００２４】
ハードディスク１１は、ＤＶＳを実現するためのＤＪアプリケーションが格納されたアプリケーション記憶部１２、及びＤＪアプリケーションで再生処理を行うデジタルコンテンツとしての楽曲が記憶された楽曲記憶部１３を備える。
楽曲記憶部１３に記憶される楽曲は、前述したオーディオインターフェース３による手法と同様のデジタル処理されたデータであり、アナログデータを離散化した複数のデジタルデータとして記録されている。
ＣＰＵ１０には、アプリケーション記憶部１２に記憶されたＤＪアプリケーションを実行して展開される、再生方向判定部１４、再生速度判定部１５、再生位置判定部１６、再生制御部１７、及び再生処理部１８を備える。
【００２５】
再生方向判定部１４は、入力されたタイムコード信号の第１制御信号ＳＧ１及び第２制御信号ＳＧ２に基づいて、レコード盤Ｒの再生方向（回転方向）を判定する。
具体的には、図４に示されるように、再生方向判定部１４は、第１制御信号ＳＧ１のゼロクロスポイントを含むＮ番目のサンプリングのタイミングを検出する。
次に、再生方向判定部１４は、Ｎ＋１番目のサンプリングのタイミングにおける第２制御信号ＳＧ２の極性を検出し、第２制御信号ＳＧ２の極性が正であれば、順方向の回転であると判定する。
逆に、Ｎ＋１番目の第２制御信号ＳＧ２の極性が負であれば、再生方向判定部１４は、逆方向の回転であると判定する。
再生方向判定部１４は、判定結果を再生制御部１７に出力する。
【００２６】
再生速度判定部１５は、第１制御信号ＳＧ１及び第２制御信号ＳＧ２に基づいて、レコード盤Ｒの再生速度を判定する。
具体的には、図５に示されるように、デジタル処理する際のサンプリング周期Ｔは一定であるから、再生速度判定部１５は、第１制御信号ＳＧ１又は第２制御信号ＳＧ２において、所定の期間Ｔ０の間に、図５中「○」部分で示されるゼロクロスポイントの数をカウントすることにより、レコード盤Ｒの再生速度を判定する。
再生速度判定部１５は、判定結果を再生制御部１７に出力する。
【００２７】
再生位置判定部１６は、プレーヤーがレコードプレーヤー２のトーンアーム８を操作して、再生位置をジャンプさせた際、ジャンプ先のレコード盤Ｒの再生位置を判定する。
具体的には、図６に示されるように、再生位置判定部１６は、第２制御信号ＳＧ２のゼロクロスポイントを検出した際の第１制御信号ＳＧ１の信号強度を検出する。再生位置判定部１６は、第１制御信号ＳＧ１の信号強度の強弱をタイムコードに復号するために、第１判定基準値Ａ１及び第２判定基準値Ａ２を有している。
【００２８】
検出された信号強度が、第１判定基準値Ａ１を超えた場合、再生位置判定部１６は、符号「１」であると復号し、第１判定基準値Ａ１を下回る場合、再生位置判定部１６は、符号「０」であると復号する。再生位置判定部１６は、所定回数この符号の復号を繰り返し、所定のビット列からなるタイムコードを取得する。
また、再生位置判定部１６は、第２制御信号ＳＧ２のゼロクロスポイントにおいて、第１制御信号ＳＧ１で検出された信号強度が、第２判定基準値Ａ２を下回る場合、第１制御信号ＳＧ１で検出された信号強度を無視して、符号の復号を行わない。
本実施形態では、タイムコードに使用されるビット列として、ＬＦＳＲ（Linear Feedback Shift Register）が発生するビット列を使用しているので、再生位置判定部１６は、レコード盤Ｒの回転方向（再生方向）からタイムコードを一意に復号することができる。
再生位置判定部１６は、取得したタイムコードを再生制御部１７に出力する。
【００２９】
図３に戻って、再生制御部１７は、再生方向判定部１４で判定された再生方向、再生速度判定部１５で判定された再生速度、及び再生位置判定部１６で取得されたタイムコードに基づいて、再生処理部１８に制御信号を出力する。
再生処理部１８は、再生制御部１７から入力した制御信号に基づいて、ハードディスク１１内の楽曲記憶部１３に記憶された楽曲の再生処理を行う。
具体的には、再生処理部１８は、制御信号に含まれるタイムコードに応じたデジタルデータを呼び出し、制御信号に含まれる再生方向、再生速度により、デジタルデータを再生する。
この際、再生処理部１８は、コンピューター４で実行されたＤＪアプリケーション上で設定された、例えば、エコーやリバーブ等の音響効果を再生楽曲に施し、オーディオインターフェース３に出力する。
【００３０】
［４］音声再生システム１による楽曲再生
次に、前述した音声再生システム１による楽曲再生を、図７及び図８に示されるフローチャートに基づいて、説明する。
オーディオインターフェース３でデジタル処理されたタイムコード信号は、再生方向判定部１４、再生速度判定部１５、及び再生位置判定部１６に入力される（手順Ｓ１）。
再生方向判定部１４は、第１制御信号ＳＧ１のゼロクロスポイントを含むＮ番目のサンプリングのタイミングを検出する（手順Ｓ２）。次に、再生方向判定部１４は、Ｎ＋１番目のサンプリングのタイミングにおける第２制御信号ＳＧ２の極性を検出する（手順Ｓ３）。
再生方向判定部１４は、レコード盤Ｒが順方向回転であるか、逆方向回転であるかを判定する（手順Ｓ４）。
再生方向判定部１４は、レコード盤Ｒの回転方向を、再生位置判定部１６及び再生制御部１７に出力する（手順Ｓ５）。
【００３１】
再生速度判定部１５は、第１制御信号ＳＧ１のゼロクロスポイントを検出する（手順Ｓ６）。
再生速度判定部１５は、第１制御信号ＳＧ１のゼロクロスポイントの検出の間隔が基準値を超えているかどうかを判定する（手順Ｓ７）。
検出の間隔が基準値を超えている場合、再生速度判定部１５は、第２制御信号ＳＧ２のゼロクロスポイントの検出に切り替え（手順Ｓ８）、検出の間隔が基準値以下の場合は、再生速度判定部１５は、第１制御信号ＳＧ１のゼロクロスポイントの検出を維持する。
再生速度判定部１５は、期間Ｔ０内におけるゼロクロスポイントの検出回数をカウントし、カウント数／期間Ｔ０を再生速度として判定する（手順Ｓ９）。
再生速度判定部１５は、判定された再生速度を再生制御部１７に出力する（手順Ｓ１０）。
【００３２】
再生位置判定部１６は、第２制御信号ＳＧ２のゼロクロスポイントを検出する（手順Ｓ１１）。
次に、再生位置判定部１６は、第２制御信号ＳＧ２のゼロクロスポイントを検出した際における第１制御信号ＳＧ１の信号強度を検出し（手順Ｓ１２）、検出した信号強度と、第１判定基準値Ａ１及び第２判定基準値Ａ２とを比較して、復号判定を行う（手順Ｓ１３）。
検出した信号強度が第１判定基準値Ａ１以上である場合、再生位置判定部１６は、符号「１」に復号し、検出した信号強度が第１判定基準値Ａ１よりも小さい場合、符号「０」に復号し、検出した信号強度が第２判定基準値Ａ２よりも小さい場合、無視をして、復号した符号値をメモリ（図３では図示略）上に順次ストアする（手順Ｓ１４）。
再生位置判定部１６は、メモリにストアされた符号値列が所定のビット数あるかどうかを判定する（手順Ｓ１５）。
再生位置判定部１６は、メモリにストアされた符号値列が所定のビット数となったと判定されたら、タイムコードとして再生制御部１７に出力する（手順Ｓ１６）。
この際、ＬＦＳＲが発生するビット列を用いているので、再生位置判定部１６は、再生方向判定部１４から入力された再生方向から、一意に復号してタイムコードを再生制御部１７に出力する。
【００３３】
再生制御部１７は、再生方向判定部１４で判定された再生方向、再生速度判定部１５で判定された再生速度に基づいて、再生処理部１８に制御信号を出力する。再生制御部１７は、再生位置判定部１６からタイムコードが出力されたら、タイムコードを制御信号に含めて出力する（手順Ｓ１７）。
再生処理部１８は、再生制御部１７からの制御信号に基づいて、再生処理を行うとともに、ＤＪアプリケーション上で設定された音響効果を付して、楽曲記憶部１３に記憶された楽曲の再生処理を行う（手順Ｓ１８）。
再生処理部１８で再生された楽曲は、デジタル信号としてオーディオインターフェース３に出力され、オーディオインターフェース３でアナログ変換された後、ミキサー５に出力され、スピーカー６から音声出力される。
以後、これを繰り返して音声再生システム１で楽曲が再生される。
【００３４】
［５］実施形態の効果
背景技術で述べた前記特許文献１に記載のレコード盤の場合、２つのチャンネルＣＨ１、ＣＨ２に記録されたタイムコード信号が同一の周波数であるため、オーディオインターフェース３でデジタル化した信号（サンプリング周波数４４．１kＨz）を、アナログ信号に復号することのできる周波数の上限は、２２．０５Ｈｚとなる。
このため、タイムコード信号の周波数を１ｋＨｚとした場合、レコード盤Ｒの２２倍の回転速度まで検出できるが、２ｋＨｚとした場合、その半分の１１倍の回転速度が上限となってしまう。
一方で再生速度を通常の回転速度の１／１００とした場合、ゼロクロスポイントの間隔は、タイムコード信号の周波数が２ｋＨｚの場合、２５ｍｓであるが、１ｋＨｚの場合、５０ｍｓとなり処理時間が増加する。
【００３５】
本実施形態では、レコード盤Ｒの第２制御信号ＳＧ２の周波数が、第１制御信号ＳＧ１の２倍となっていることにより、レコード盤Ｒの回転速度が所定の基準値以上の場合、第１制御信号ＳＧ１のゼロクロスポイントを検出しているため、レコード盤Ｒを高速で回転させても、明確にゼロクロスポイントを検出することができる。
そして、レコード盤Ｒの回転速度が所定の基準値を下回ったら、第２制御信号ＳＧ２のゼロクロスポイントを検出することにより、ゼロクロスポイントの検出の間隔を短くすることができるため、再生速度判定部１５による速度判定の処理時間が増加することがない。
従って、本実施形態によれば、プレーヤーがターンテーブル７を高速、低速で操作してもゼロクロスポイントを明確に検出することができ、かつ再生速度判定部１５による処理時間の短縮を図ることができる。
【００３６】
［６］実施形態の変形
本発明は、前記実施形態に限定されるものではなく、以下に示すような変形を含むものである。
前記実施形態では図２に示すように、第１制御信号ＳＧ１の角度０度におけるゼロクロスポイントと、第２制御信号ＳＧ２の角度０度におけるゼロクロスポイントを一致させているが、本発明はこれに限られない。
第１制御信号ＳＧ１の角度０度におけるゼロクロスポイントと、第２制御信号ＳＧ２の角度１８０度におけるゼロクロスポイントとを一致させてもよく、第１制御信号ＳＧ１の角度１８０度におけるゼロクロスポイントと、第２制御信号の角度０度におけるゼロクロスポイントを一致させてもよい。
さらに、第１制御信号ＳＧ１が検出されるサンプリングのタイミングと、第２制御信号ＳＧ２のゼロクロスポイントが検出されるサンプリングのタイミングと、がずれない範囲であれば、第１制御信号ＳＧ１のゼロクロスポイントと第２制御信号ＳＧ２のゼロクロスポイントにずれがあってもよい。
【００３７】
前記実施形態では、タイムコード信号は、正弦波状の波形を有していたが、本発明はこれに限られない。
例えば、図９Ａ〜図９Ｃに示されるように、タイムコード信号として、矩形波、のこぎり波、三角波を採用してもよい。
また、前記実施形態では、第１制御信号ＳＧ１の波形、及び第２制御信号ＳＧ２の波形は略相似であり、周波数のみ異なっていたが、本発明はこれに限られない。
例えば、第１制御信号の波形の形状として、図９Ａに示されるような矩形波を採用し、第２制御信号の波形として、図９Ｂに示されるようなのこぎり波を採用してもよい。
【００３８】
前記実施形態では、第１制御信号ＳＧ１、第２制御信号ＳＧ２として連続的な波形のものを採用していたが、図９Ｄ、図９Ｅに示されるように第１制御信号として離散的な波形のものを採用してもよい。
また、前記実施形態では、第１制御信号ＳＧ１の周波数に対して、第２制御信号ＳＧ２の周波数は２倍とされていたが、図９Ｆに示されるように、第２制御信号の周波数を第１制御信号の周波数の４倍としてもよく、２ｎ倍の周波数のものを第２制御信号として採用してもよい。
このような構成にすれば、前記実施形態と比べて専用のレコード盤Ｒの再生速度がより遅い場合でも、前記実施形態と同じ処理時間で音声コンテンツの再生速度の制御処理を行うことができる。
なお、図９Ａ〜図９Ｅに示すタイムコード信号において、第２制御信号ＳＧ２の周波数は、第１制御信号ＳＧ１の周波数の４倍、６倍等、２×ｎ倍であればいずれの大きさであってもよい。
【００３９】
前記実施形態では、チャンネルＣＨ１に第１制御信号ＳＧ１、チャンネルＣＨ２に第２制御信号ＳＧ２を記録し、タイムコード信号としていたが、本発明はこれに限られない。
例えば、１つのチャンネル上に、第１制御信号ＳＧ１及び第２制御信号ＳＧ２を重畳させたタイムコード信号としてもよい。
第１制御信号ＳＧ１及び第２制御信号ＳＧ２は周波数が異なるので、重畳信号からは、ローパスフィルタを通すことで第１制御信号ＳＧ１を取り出し、ハイパスフィルタを通すことで第２制御信号ＳＧ２を取り出すことができる。
なお、前述したＤＶＳの場合、レコード盤の回転数が変動するので、第１制御信号ＳＧ１、第２制御信号ＳＧ２の強度のいずれかの信号強度を他方よりも大きくしてパイロット信号として用い、このパイロット信号の検出周期に基づいて、ハイパスフィルタ、ローパスフィルタのカットオフ周波数を調整すればよい。
【００４０】
前記実施形態では、アナログのレコードプレーヤー２を信号再生装置としていたが、本発明はこれに限られない。
例えば、ＣＤ等の光ディスクにデジタルコンテンツ再生用制御信号を記録し、ＣＤプレーヤーを信号再生装置として用いてもよいし、フラッシュメモリにデジタルコンテンツ再生用制御信号をファイルとして記録しておき、コンピューター等でファイルプレーヤーソフトを用いて再生してもよい。
前記実施形態では、本発明に係るデジタルコンテンツ再生用制御信号を楽曲データの再生用として用いていたが、動画等の映像信号をデジタル処理した後、再生する場合に採用してもよい。
【００４１】
前記実施形態では、レコード盤Ｒをレコードプレーヤー２で操作することにより、タイムコード信号を発生させていたが、本発明はこれに限られない。例えば、アナログ式又はデジタル式の信号発生器により、デジタルコンテンツ再生用制御信号を発生させ、これに基づいてデジタルコンテンツの再生制御を行ってもよい。
前記実施形態では、再生処理部１８がコンピューター４内に設けられていたが、本発明はこれに限らず、再生処理部のみ別体としてもよい。
前記実施形態では、第１制御信号ＳＧ１、第２制御信号ＳＧ２のゼロクロスポイントで再生方向、再生速度、再生位置の判定を行っていたが、本発明はこれに限られない。例えば、電圧信号であれば、ゼロボルトを判定の基準として用いてもよい。さらに、電圧信号に一定のバイアス電圧がかかっているような場合、振幅の中央となるバイアス電圧を判定の基準値としてもよい。
さらに、振幅の１／２の信号強度を判定の基準としてもよい。
【００４２】
前記実施形態では、第１制御信号ＳＧ１の＋側で「０」、「１」、「無視」の判定を行っていたが、本発明はこれに限られない。
例えば、第１制御信号ＳＧ１の−側でこれらの判定を行ってもよい。また、「０」、「１」のうち、一方を＋側で判定し、他方を−側で判定してもよい。
前記実施形態では、第１判定基準値Ａ１で「０」及び「１」の判定を行い、第２判定基準値Ａ２で「０」及び「無視」の判定を行っていたが、本発明はこれに限られない。例えば、第２判定基準値Ａ２を「０」とそれ以外の符号との判定に用い、３値以上の判定を行ってもよい。
【００４３】
前記実施形態では、タイムコード信号という時間的な信号として再生位置の判定を行っていたが、本発明はこれに限られない。再生位置を表現できるのであれば、時間とともにインクリメント又はデクリメントされるカウンタコード等の信号であってもよく、カウンタコードが、ランダム化、疑似ランダム化されたものであってもよい。
その他、本発明の目的を達成できる範囲で他の構造等としてもよい。
【符号の説明】
【００４４】
１…音声再生システム、１１…ハードディスク、１２…アプリケーション記憶部、１３…楽曲記憶部、１４…再生方向判定部、１５…再生速度判定部、１６…再生位置判定部、１７…再生制御部、１８…再生処理部、２…レコードプレーヤー、３…オーディオインターフェース、４…コンピューター、５…ミキサー、６…スピーカー、７…ターンテーブル、８…トーンアーム、９…ピッチコントローラー、Ａ１…第１判定基準値、Ａ２…第２判定基準値、ＣＨ１…チャンネル、ＣＨ２…チャンネル、Ｒ…レコード盤、Ｓ１…手順、Ｓ１０…手順、Ｓ１１…手順、Ｓ１２…手順、Ｓ１３…手順、Ｓ１４…手順、Ｓ１５…手順、Ｓ１６…手順、Ｓ１７…手順、Ｓ１８…手順、Ｓ２…手順、Ｓ３…手順、Ｓ４…手順、Ｓ５…手順、Ｓ６…手順、Ｓ７…手順、Ｓ８…手順、Ｓ９…手順、ＳＧ１…第１制御信号、ＳＧ２…第２制御信号、Ｔ…サンプリング周期、Ｔ０…期間
【図１】
2017056153.tif 000003
【図２】
2017056153.tif 000004
【図３】
2017056153.tif 000005
【図４】
2017056153.tif 000006
【図５】
2017056153.tif 000007
【図６】
2017056153.tif 000008
【図７】
2017056153.tif 000009
【図８】
2017056153.tif 000010
【図９Ａ】
2017056153.tif 000011
【図９Ｂ】
2017056153.tif 000012
【図９Ｃ】
2017056153.tif 000013
【図９Ｄ】
2017056153.tif 000014
【図９Ｅ】
2017056153.tif 000015
【図９Ｆ】
2017056153.tif 000016
【手続補正書】
【提出日】平成30年3月19日(2018.3.19)
【手続補正１】
【補正対象書類名】特許請求の範囲
【補正対象項目名】全文
【補正方法】変更
【補正の内容】
【特許請求の範囲】
【請求項１】
タイムコード信号が記録された所定の周波数の第１制御信号と、前記第１制御信号の周波数の２ｎ（ｎは自然数）倍の周波数の第２制御信号と、を備え、前記第１制御信号の波形のゼロクロスポイントが、前記第２制御信号の波形のゼロクロスポイントと時間軸上で一致するように組み合わされたデジタルコンテンツ再生用制御信号が記録されていることを特徴とするレコード盤。
【請求項２】
タイムコードが記録された所定の周波数の第１制御信号と、前記第１制御信号の周波数の２ｎ（ｎは自然数）倍の周波数の第２制御信号と、を備え、前記第１制御信号の波形のゼロクロスポイントが、前記第２制御信号の波形のゼロクロスポイントと時間軸上で一致するように組み合わされたデジタルコンテンツ再生用制御信号が記録されたレコード盤と、
前記レコード盤に記録された前記デジタルコンテンツ再生用制御信号を再生する信号再生装置と、
再生された前記デジタルコンテンツ再生用制御信号に基づいて、デジタルコンテンツの再生処理を行う再生処理装置と、を備え、
前記再生処理装置は、
前記第１制御信号のゼロクロスポイントの検出に基づいて、前記第２制御信号の極性を検出して、前記レコード盤の再生方向を判定する再生方向判定部と、
前記再生方向判定部の判定結果に基づいて、前記デジタルコンテンツの再生制御を行う再生制御部と、
前記再生制御部により制御され、前記デジタルコンテンツの再生処理を行う再生処理部と、
を備えていることを特徴とするデジタルコンテンツ再生システム。
【請求項３】
タイムコードが記録された所定の周波数の第１制御信号と、前記第１制御信号の周波数の２ｎ（ｎは自然数）倍の周波数の第２制御信号と、を備え、前記第１制御信号の波形のゼロクロスポイントが、前記第２制御信号の波形のゼロクロスポイントと時間軸上で一致するように組み合わされたデジタルコンテンツ再生用制御信号が記録されたレコード盤と、
前記レコード盤に記録された前記デジタルコンテンツ再生用制御信号を再生する信号再生装置と、
前記信号再生装置から入力された前記デジタルコンテンツ再生用制御信号に基づいて、デジタルコンテンツの再生処理装置の制御を行う再生制御装置と、
を備え、
前記再生制御装置は、
前記第１制御信号のゼロクロスポイントの検出に基づいて、前記第２制御信号の極性を検出して、前記レコード盤の再生方向を判定する再生方向判定部と、
前記再生方向判定部の判定結果に基づいて、前記デジタルコンテンツの再生制御信号を、デジタルコンテンツの再生処理装置に出力する再生制御部と、
を備えていることを特徴とするデジタルコンテンツ再生制御システム。
【請求項４】
タイムコードが記録された所定の周波数の第１制御信号と、前記第１制御信号の周波数の２ｎ（ｎは自然数）倍の周波数の第２制御信号と、を備え、前記第１制御信号の波形のゼロクロスポイントが、前記第２制御信号の波形のゼロクロスポイントと時間軸上で一致するように組み合わされたデジタルコンテンツ再生用制御信号が入力される手順と、
入力されたデジタルコンテンツ再生用制御信号に基づいて、デジタルコンテンツの再生方向を判定する手順と、
判定された再生方向に基づいて、デジタルコンテンツの再生処理または再生制御を行う手順と、
を実施することを特徴とするデジタルコンテンツ再生方法。
【請求項５】
タイムコードが記録された所定の周波数の第１制御信号と、前記第１制御信号の周波数の２ｎ（ｎは自然数）倍の周波数の第２制御信号と、を備え、前記第１制御信号の波形のゼロクロスポイントが、前記第２制御信号の波形のゼロクロスポイントと時間軸上で一致するように組み合わされたデジタルコンテンツ再生用制御信号が入力される手順と、
入力されたデジタルコンテンツ再生用制御信号に基づいて、デジタルコンテンツの再生方向を判定する手順と、
判定された再生方向に基づいて、デジタルコンテンツの再生処理または再生制御を行う手順と、
をコンピュータに実行させることを特徴とするデジタルコンテンツ再生プログラム。
【手続補正２】
【補正対象書類名】明細書
【補正対象項目名】全文
【補正方法】変更
【補正の内容】
【発明の詳細な説明】
【技術分野】
【０００１】
本発明は、デジタルコンテンツ再生用制御信号が記録されたレコード盤、デジタルコンテンツ再生システム、デジタルコンテンツ再生制御システム、デジタルコンテンツ再生方法、及びデジタルコンテンツ再生プログラムに関する。
【背景技術】
【０００２】
デジタルコンテンツを再生する技術として、ＤＶＳ（Digital Vinyl System）が知られている。
ＤＶＳは、タイムコード信号が記録された専用レコード盤と、レコードプレーヤー、ＣＤプレーヤー等の信号再生装置、オーディオインターフェース等のアナログデジタル変換装置、コンピューター、及びミキサー、スピーカー等の再生出力装置とを備える。
レコードプレーヤー上でタイムコード（時間の情報）が記録された専用レコード盤を再生し、そのタイムコード信号を、オーディオインターフェースにてＡ／Ｄ変換した後、コンピューターに出力する。
【０００３】
コンピューターは、再生中の楽曲データから音声信号を抽出するとともに、コンピューター上で設定された音響効果を施し、送信されたタイムコードに対応する音声信号をオーディオインターフェースに出力する。
オーディオインターフェースは、コンピューターから入力された音声信号をミキサーに出力し、ミキサーは、当該音声信号をパワーアンプおよびスピーカー等の再生出力装置に出力する。
【０００４】
このようなＤＶＳでは、プレーヤーがレコードプレーヤーでスクラッチ操作や、ピッチベンド操作を行うことにより、タイムコード信号がこれらの操作に応じて再生されるため、プレーヤーの操作に応じた音声信号を再生出力することができる。そして、コンピューター内で種々の音響効果を与えることができるため、極めて演出効果の高いＤＪパフォーマンスを実現することができる。
【０００５】
特許文献１に記載の発明では、ＤＶＳで使用される専用レコード盤において、ピックアップで再生される左右のタイムコード信号として、同じ周波数の信号の位相が相対的にシフトした状態で記録されたものが開示されている。
そして、特許文献１に記載の発明では、左右のタイムコード信号の位相のシフトの状態を利用して、一方のタイムコード信号が負から正に変化するゼロクロスポイントを検出し、その際の他方のタイムコード信号の極性が正負どちらであるかを検出することにより、順方向回転か、逆方向回転かを判定している。
【先行技術文献】
【特許文献】
【０００６】
【特許文献１】特表２００３−５２５５１０号公報
【発明の概要】
【発明が解決しようとする課題】
【０００７】
しかしながら、前記特許文献１に記載の発明では、左右のタイムコード信号の周波数が同じであるため、プレーヤーがターンテーブルを高速で操作した場合、所定のサンプル期間で検出されるゼロクロスポイントの間隔が短くなってしまい、信号再生装置の周波数特性の制約を受け、ゼロクロスポイントが検出しにくくなる可能性がある。
一方で、予めタイムコード信号の周波数を低くしておくと、プレーヤーがターンテーブルを低速で操作した場合、ゼロクロスポイントの検出に時間がかかり、処理時間が増加するという問題が一例として挙げられる。
【０００８】
本発明の目的は、プレーヤーがターンテーブルを高速、低速で操作してもゼロクロスポイントを明確に検出することができ、かつ処理時間の短縮を図ることのできるデジタルコンテンツ再生用制御信号が記録されたレコード盤、デジタルコンテンツ再生システム、デジタルコンテンツ再生制御システム、デジタルコンテンツ再生方法、及びデジタルコンテンツ再生プログラムを提供することにある。
【課題を解決するための手段】
【０００９】
本発明の第１の態様に係るレコード盤は、
タイムコード信号が記録された所定の周波数の第１制御信号と、
前記第１制御信号の周波数の２ｎ（ｎは自然数）倍の周波数の第２制御信号と、を備え、
前記第１制御信号の波形のゼロクロスポイントが、前記第２制御信号の波形のゼロクロスポイントと、時間軸上で一致するように組み合わされたデジタルコンテンツ再生用制御信号が記録されたことを特徴とする。
【００１０】
本発明の第２の態様に係るデジタルコンテンツ再生システムは、
タイムコードが記録された所定の周波数の第１制御信号と、前記第１制御信号の周波数の２ｎ（ｎは自然数）倍の周波数の第２制御信号と、を備え、前記第１制御信号の波形のゼロクロスポイントが、前記第２制御信号の波形のゼロクロスポイントと時間軸上で一致するように組み合わされたデジタルコンテンツ再生用制御信号が記録されたレコード盤と、
前記レコード盤に記録された前記デジタルコンテンツ再生用制御信号を再生する信号再生装置と、
再生された前記デジタルコンテンツ再生用制御信号に基づいて、デジタルコンテンツの再生処理を行う再生処理装置と、を備え、
前記再生処理装置は、
前記第１制御信号のゼロクロスポイントの検出に基づいて、前記第２制御信号の極性を検出して、前記レコード盤の再生方向を判定する再生方向判定部と、
前記第１制御信号及び前記第２制御信号のいずれかのゼロクロスポイントを検出して、前記レコード盤の再生速度を判定する再生速度判定部と、
前記第１制御信号に記録されたタイムコードを復号して、前記レコード盤の再生位置を判定する再生位置判定部と、
前記再生方向判定部、前記再生速度判定部、及び前記再生位置判定部の判定結果に基づいて、前記デジタルコンテンツの再生制御を行う再生制御部と、
前記再生制御部により制御され、前記デジタルコンテンツの再生処理を行う再生処理部と、を備えていることを特徴とする。
【００１１】
本発明に係るデジタルコンテンツ再生制御システムは、
タイムコードが記録された所定の周波数の第１制御信号と、前記第１制御信号の周波数の２ｎ（ｎは自然数）倍の周波数の第２制御信号と、を備え、前記第１制御信号の波形のゼロクロスポイントが、前記第２制御信号の波形のゼロクロスポイントと時間軸上で一致するように組み合わされたデジタルコンテンツ再生用制御信号が記録されたレコード盤と、
前記レコード盤に記録された前記デジタルコンテンツ再生用制御信号を再生する信号再生装置と、
前記信号再生装置から入力された前記デジタルコンテンツ再生用制御信号に基づいて、デジタルコンテンツの再生処理装置の制御を行う再生制御装置と、
を備え、
前記再生制御装置は、
前記第１制御信号のゼロクロスポイントの検出に基づいて、前記第２制御信号の極性を検出して、前記レコード盤の再生方向を判定する再生方向判定部と、
前記再生方向判定部の判定結果に基づいて、前記デジタルコンテンツの再生制御信号を、デジタルコンテンツの再生処理装置に出力する再生制御部と、
を備えていることを特徴とする。
【００１２】
本発明に係るデジタルコンテンツ再生方法は、
タイムコードが記録された所定の周波数の第１制御信号と、前記第１制御信号の周波数の２ｎ（ｎは自然数）倍の周波数の第２制御信号と、を備え、前記第１制御信号の波形のゼロクロスポイントが、前記第２制御信号の波形のゼロクロスポイントと時間軸上で一致するように組み合わされたデジタルコンテンツ再生用制御信号が入力される手順と、
入力されたデジタルコンテンツ再生用制御信号に基づいて、デジタルコンテンツの再生方向を判定する手順と、
判定された再生方向に基づいて、デジタルコンテンツの再生処理を行う手順と、
を実施することを特徴とする。
【００１３】
本発明に係るデジタルコンテンツ再生プログラムは、
タイムコードが記録された所定の周波数の第１制御信号と、前記第１制御信号の周波数の２ｎ（ｎは自然数）倍の周波数の第２制御信号と、を備え、前記第１制御信号の波形のゼロクロスポイントが、前記第２制御信号の波形のゼロクロスポイントと時間軸上で一致するように組み合わされたデジタルコンテンツ再生用制御信号が入力される手順と、
入力されたデジタルコンテンツ再生用制御信号に基づいて、デジタルコンテンツの再生方向を判定する手順と、
判定された再生方向に基づいて、デジタルコンテンツの再生処理を行う手順と、
をコンピューターに実行させることを特徴とする。
【図面の簡単な説明】
【００１４】
【図１】本発明の実施形態に係る音声再生システムの構成を表す模式図。
【図２】前記実施形態におけるレコード盤に記録されたタイムコード信号を表す模式図。
【図３】前記実施形態におけるコンピューターの構造を表す機能ブロック図。
【図４】前記実施形態における再生方向の判定方法を説明するための模式図。
【図５】前記実施形態における再生速度の判定方法を説明するための模式図。
【図６】前記実施形態における再生位置の判定方法を説明するための模式図。
【図７】前記実施形態における音声再生システムによる音声再生方法を説明するためのフローチャート。
【図８】前記実施形態における音声再生システムによる音声再生方法を説明するためのフローチャート。
【図９Ａ】前記実施形態の変形となるデジタルコンテンツ再生用制御信号の波形を表す模式図。
【図９Ｂ】前記実施形態の変形となるデジタルコンテンツ再生用制御信号の波形を表す模式図。
【図９Ｃ】前記実施形態の変形となるデジタルコンテンツ再生用制御信号の波形を表す模式図。
【図９Ｄ】前記実施形態の変形となるデジタルコンテンツ再生用制御信号の波形を表す模式図。
【図９Ｅ】前記実施形態の変形となるデジタルコンテンツ再生用制御信号の波形を表す模式図。
【図９Ｆ】前記実施形態の変形となるデジタルコンテンツ再生用制御信号の波形を表す模式図。
【発明を実施するための形態】
【００１５】
［１］システムの全体構成
図１には、本発明の実施形態に係るデジタルコンテンツ再生システムである音声再生システム１が示されている。この音声再生システム１は、信号再生装置として例示される２台のレコードプレーヤー２、オーディオインターフェース３、再生処理装置として例示されるコンピューター４、ミキサー５、及びスピーカー６を備える。
レコードプレーヤー２は、アナログのレコード盤Ｒを載置するターンテーブル７、レコード盤Ｒに記録された音声信号を再生する針を支持するトーンアーム８、及びターンテーブル７の回転速度を調整するためのピッチコントローラー９を備える。トーンアーム８の先端に設けられた針は、レコード盤Ｒの溝に沿って走行し、溝に記録されたタイムコード信号を左右２チャンネルのアナログ音声信号として出力する。
プレーヤーは、ターンテーブル７をスクラッチ操作したり、ピッチコントローラー９を操作することにより、レコード盤Ｒを逆回転させたり、低速回転、高速回転させることができる。
【００１６】
オーディオインターフェース３は、各レコードプレーヤー２から出力された２チャンネルのアナログ信号（タイムコード信号）が入力されると、これをデジタル変換して、コンピューター４のＵＳＢインターフェース等に出力する。
また、オーディオインターフェース３は、コンピューター４から、ＵＳＢインターフェース等を介してデジタルの音声信号が入力されると、これをアナログ変換し、２チャンネルのアナログ信号として、ミキサー５に出力する。
ミキサー５は、入力されたアナログ信号に対し、ミキサー５に搭載された各種操作子の操作状態に応じた音声処理（２台のレコードプレーヤー２の操作に基づく２種類の楽曲データのミキシング処理など）を行う。その後、ミキサー５は、スピーカー６に処理済み音声信号を出力する。
【００１７】
コンピューター４は、ディスプレイ、キーボード、マウス、ハードディスクドライブなど、一般的なコンピューターの構成を有しており、ハードディスクドライブには、ＤＶＳを実現するためのＤＪアプリケーションが格納されている。
また、コンピューター４は、オーディオインターフェース３から入力されたデジタルのタイムコード信号からタイムコードを復号し、再生中の楽曲データの当該タイムコードに相当する音声信号を、オーディオインターフェース３に出力する。なお、楽曲データは、コンピューター４内にあってもよいし、コンピューター４と通信可能な外部機器または外部サーバー内にあってもよい。本実施形態では、楽曲データが、コンピューター４内に記憶されているものとして説明する。また、本実施形態では、２台のレコードプレーヤー２が設けられているが、説明の便宜のため、以下の説明では、１台のレコードプレーヤー２との関係で説明を行う。
【００１８】
［２］レコード盤Ｒに記録されたタイムコード信号
レコード盤Ｒには、図２に示されるように、２つのチャンネルＣＨ１、ＣＨ２に、タイムコード信号が記録されている。タイムコード信号は、チャンネルＣＨ１に記録された第１制御信号ＳＧ１と、チャンネルＣＨ２に記録された第２制御信号ＳＧ２とを組み合わせて構成される。
第１制御信号ＳＧ１は、振幅が変化した信号であり、この振幅の変化を利用して、所定のビット列からなるタイムコードを記録している。タイムコードは、レコード盤Ｒの外周から内周に向かうレコード溝（トラック）の再生位置として複数記録されている。
【００１９】
第２制御信号ＳＧ２は、第１制御信号ＳＧ１の２倍の周波数とされており、図２の「○」部分で示されるように、第１制御信号ＳＧ１のゼロクロスポイントが、第２制御信号ＳＧ２のゼロクロスポイントと時間軸上で一致するように組み合わされている。
なお、本実施形態では第２制御信号ＳＧ２の周波数は、第１制御信号ＳＧ１の２倍とされているが、第１制御信号ＳＧ１の２ｎ倍（ｎは自然数）の周波数であれば、第２制御信号として用いることができる。
【００２０】
このようなレコード盤Ｒに記録された第１制御信号ＳＧ１及び第２制御信号ＳＧ２は、レコードプレーヤー２からアナログ信号としてオーディオインターフェース３に出力される。
オーディオインターフェース３は、入力されたアナログの第１制御信号ＳＧ１及び第２制御信号ＳＧ２をサンプリング周期Ｔでデジタル処理して、コンピューター４にデジタルの第１制御信号ＳＧ１及び第２制御信号ＳＧ２を出力する。
デジタル処理をするサンプリング周期Ｔの逆数であるサンプリング周波数は、例えば、ＣＤ等で用いられる４４．１ｋＨｚを採用することができ、第１制御信号ＳＧ１、第２制御信号ＳＧ２の周波数の上限は、サンプリング周波数の１／２の２２．０５ｋＨｚとなる。
【００２１】
［３］コンピューター４の機能的構造
図３には、コンピューター４の機能ブロック図が示されている。
コンピューター４は、オーディオインターフェース３から出力されたタイムコード信号に基づいて、プレーヤーがレコードプレーヤー２で行った操作に応じて、楽曲の再生処理を行うものであり、ＣＰＵ（Central Processing Unit）１０及びハードディスク１１を備える。
【００２２】
ハードディスク１１は、ＤＶＳを実現するためのＤＪアプリケーションが格納されたアプリケーション記憶部１２、及びＤＪアプリケーションで再生処理を行うデジタルコンテンツとしての楽曲が記憶された楽曲記憶部１３を備える。
楽曲記憶部１３に記憶される楽曲は、前述したオーディオインターフェース３による手法と同様のデジタル処理されたデータであり、アナログデータを離散化した複数のデジタルデータとして記録されている。
ＣＰＵ１０には、アプリケーション記憶部１２に記憶されたＤＪアプリケーションを実行して展開される、再生方向判定部１４、再生速度判定部１５、再生位置判定部１６、再生制御部１７、及び再生処理部１８を備える。
【００２３】
再生方向判定部１４は、入力されたタイムコード信号の第１制御信号ＳＧ１及び第２制御信号ＳＧ２に基づいて、レコード盤Ｒの再生方向（回転方向）を判定する。
具体的には、図４に示されるように、再生方向判定部１４は、第１制御信号ＳＧ１のゼロクロスポイントを含むＮ番目のサンプリングのタイミングを検出する。
次に、再生方向判定部１４は、Ｎ＋１番目のサンプリングのタイミングにおける第２制御信号ＳＧ２の極性を検出し、第２制御信号ＳＧ２の極性が正であれば、順方向の回転であると判定する。
逆に、Ｎ＋１番目の第２制御信号ＳＧ２の極性が負であれば、再生方向判定部１４は、逆方向の回転であると判定する。
再生方向判定部１４は、判定結果を再生制御部１７に出力する。
【００２４】
再生速度判定部１５は、第１制御信号ＳＧ１及び第２制御信号ＳＧ２に基づいて、レコード盤Ｒの再生速度を判定する。
具体的には、図５に示されるように、デジタル処理する際のサンプリング周期Ｔは一定であるから、再生速度判定部１５は、第１制御信号ＳＧ１又は第２制御信号ＳＧ２において、所定の期間Ｔ０の間に、図５中「○」部分で示されるゼロクロスポイントの数をカウントすることにより、レコード盤Ｒの再生速度を判定する。
再生速度判定部１５は、判定結果を再生制御部１７に出力する。
【００２５】
再生位置判定部１６は、プレーヤーがレコードプレーヤー２のトーンアーム８を操作して、再生位置をジャンプさせた際、ジャンプ先のレコード盤Ｒの再生位置を判定する。
具体的には、図６に示されるように、再生位置判定部１６は、第２制御信号ＳＧ２のゼロクロスポイントを検出した際の第１制御信号ＳＧ１の信号強度を検出する。再生位置判定部１６は、第１制御信号ＳＧ１の信号強度の強弱をタイムコードに復号するために、第１判定基準値Ａ１及び第２判定基準値Ａ２を有している。
【００２６】
検出された信号強度が、第１判定基準値Ａ１を超えた場合、再生位置判定部１６は、符号「１」であると復号し、第１判定基準値Ａ１を下回る場合、再生位置判定部１６は、符号「０」であると復号する。再生位置判定部１６は、所定回数この符号の復号を繰り返し、所定のビット列からなるタイムコードを取得する。
また、再生位置判定部１６は、第２制御信号ＳＧ２のゼロクロスポイントにおいて、第１制御信号ＳＧ１で検出された信号強度が、第２判定基準値Ａ２を下回る場合、第１制御信号ＳＧ１で検出された信号強度を無視して、符号の復号を行わない。
本実施形態では、タイムコードに使用されるビット列として、ＬＦＳＲ（Linear Feedback Shift Register）が発生するビット列を使用しているので、再生位置判定部１６は、レコード盤Ｒの回転方向（再生方向）からタイムコードを一意に復号することができる。
再生位置判定部１６は、取得したタイムコードを再生制御部１７に出力する。
【００２７】
図３に戻って、再生制御部１７は、再生方向判定部１４で判定された再生方向、再生速度判定部１５で判定された再生速度、及び再生位置判定部１６で取得されたタイムコードに基づいて、再生処理部１８に制御信号を出力する。
再生処理部１８は、再生制御部１７から入力した制御信号に基づいて、ハードディスク１１内の楽曲記憶部１３に記憶された楽曲の再生処理を行う。
具体的には、再生処理部１８は、制御信号に含まれるタイムコードに応じたデジタルデータを呼び出し、制御信号に含まれる再生方向、再生速度により、デジタルデータを再生する。
この際、再生処理部１８は、コンピューター４で実行されたＤＪアプリケーション上で設定された、例えば、エコーやリバーブ等の音響効果を再生楽曲に施し、オーディオインターフェース３に出力する。
【００２８】
［４］音声再生システム１による楽曲再生
次に、前述した音声再生システム１による楽曲再生を、図７及び図８に示されるフローチャートに基づいて、説明する。
オーディオインターフェース３でデジタル処理されたタイムコード信号は、再生方向判定部１４、再生速度判定部１５、及び再生位置判定部１６に入力される（手順Ｓ１）。
再生方向判定部１４は、第１制御信号ＳＧ１のゼロクロスポイントを含むＮ番目のサンプリングのタイミングを検出する（手順Ｓ２）。次に、再生方向判定部１４は、Ｎ＋１番目のサンプリングのタイミングにおける第２制御信号ＳＧ２の極性を検出する（手順Ｓ３）。
再生方向判定部１４は、レコード盤Ｒが順方向回転であるか、逆方向回転であるかを判定する（手順Ｓ４）。
再生方向判定部１４は、レコード盤Ｒの回転方向を、再生位置判定部１６及び再生制御部１７に出力する（手順Ｓ５）。
【００２９】
再生速度判定部１５は、第１制御信号ＳＧ１のゼロクロスポイントを検出する（手順Ｓ６）。
再生速度判定部１５は、第１制御信号ＳＧ１のゼロクロスポイントの検出の間隔が基準値を超えているかどうかを判定する（手順Ｓ７）。
検出の間隔が基準値を超えている場合、再生速度判定部１５は、第２制御信号ＳＧ２のゼロクロスポイントの検出に切り替え（手順Ｓ８）、検出の間隔が基準値以下の場合は、再生速度判定部１５は、第１制御信号ＳＧ１のゼロクロスポイントの検出を維持する。
再生速度判定部１５は、期間Ｔ０内におけるゼロクロスポイントの検出回数をカウントし、カウント数／期間Ｔ０を再生速度として判定する（手順Ｓ９）。
再生速度判定部１５は、判定された再生速度を再生制御部１７に出力する（手順Ｓ１０）。
【００３０】
再生位置判定部１６は、第２制御信号ＳＧ２のゼロクロスポイントを検出する（手順Ｓ１１）。
次に、再生位置判定部１６は、第２制御信号ＳＧ２のゼロクロスポイントを検出した際における第１制御信号ＳＧ１の信号強度を検出し（手順Ｓ１２）、検出した信号強度と、第１判定基準値Ａ１及び第２判定基準値Ａ２とを比較して、復号判定を行う（手順Ｓ１３）。
検出した信号強度が第１判定基準値Ａ１以上である場合、再生位置判定部１６は、符号「１」に復号し、検出した信号強度が第１判定基準値Ａ１よりも小さい場合、符号「０」に復号し、検出した信号強度が第２判定基準値Ａ２よりも小さい場合、無視をして、復号した符号値をメモリ（図３では図示略）上に順次ストアする（手順Ｓ１４）。
再生位置判定部１６は、メモリにストアされた符号値列が所定のビット数あるかどうかを判定する（手順Ｓ１５）。
再生位置判定部１６は、メモリにストアされた符号値列が所定のビット数となったと判定されたら、タイムコードとして再生制御部１７に出力する（手順Ｓ１６）。
この際、ＬＦＳＲが発生するビット列を用いているので、再生位置判定部１６は、再生方向判定部１４から入力された再生方向から、一意に復号してタイムコードを再生制御部１７に出力する。
【００３１】
再生制御部１７は、再生方向判定部１４で判定された再生方向、再生速度判定部１５で判定された再生速度に基づいて、再生処理部１８に制御信号を出力する。再生制御部１７は、再生位置判定部１６からタイムコードが出力されたら、タイムコードを制御信号に含めて出力する（手順Ｓ１７）。
再生処理部１８は、再生制御部１７からの制御信号に基づいて、再生処理を行うとともに、ＤＪアプリケーション上で設定された音響効果を付して、楽曲記憶部１３に記憶された楽曲の再生処理を行う（手順Ｓ１８）。
再生処理部１８で再生された楽曲は、デジタル信号としてオーディオインターフェース３に出力され、オーディオインターフェース３でアナログ変換された後、ミキサー５に出力され、スピーカー６から音声出力される。
以後、これを繰り返して音声再生システム１で楽曲が再生される。
【００３２】
［５］実施形態の効果
背景技術で述べた前記特許文献１に記載のレコード盤の場合、２つのチャンネルＣＨ１、ＣＨ２に記録されたタイムコード信号が同一の周波数であるため、オーディオインターフェース３でデジタル化した信号（サンプリング周波数４４．１kＨz）を、アナログ信号に復号することのできる周波数の上限は、２２．０５Ｈｚとなる。
このため、タイムコード信号の周波数を１ｋＨｚとした場合、レコード盤Ｒの２２倍の回転速度まで検出できるが、２ｋＨｚとした場合、その半分の１１倍の回転速度が上限となってしまう。
一方で再生速度を通常の回転速度の１／１００とした場合、ゼロクロスポイントの間隔は、タイムコード信号の周波数が２ｋＨｚの場合、２５ｍｓであるが、１ｋＨｚの場合、５０ｍｓとなり処理時間が増加する。
【００３３】
本実施形態では、レコード盤Ｒの第２制御信号ＳＧ２の周波数が、第１制御信号ＳＧ１の２倍となっていることにより、レコード盤Ｒの回転速度が所定の基準値以上の場合、第１制御信号ＳＧ１のゼロクロスポイントを検出しているため、レコード盤Ｒを高速で回転させても、明確にゼロクロスポイントを検出することができる。
そして、レコード盤Ｒの回転速度が所定の基準値を下回ったら、第２制御信号ＳＧ２のゼロクロスポイントを検出することにより、ゼロクロスポイントの検出の間隔を短くすることができるため、再生速度判定部１５による速度判定の処理時間が増加することがない。
従って、本実施形態によれば、プレーヤーがターンテーブル７を高速、低速で操作してもゼロクロスポイントを明確に検出することができ、かつ再生速度判定部１５による処理時間の短縮を図ることができる。
【００３４】
［６］実施形態の変形
本発明は、前記実施形態に限定されるものではなく、以下に示すような変形を含むものである。
前記実施形態では図２に示すように、第１制御信号ＳＧ１の角度０度におけるゼロクロスポイントと、第２制御信号ＳＧ２の角度０度におけるゼロクロスポイントを一致させているが、本発明はこれに限られない。
第１制御信号ＳＧ１の角度０度におけるゼロクロスポイントと、第２制御信号ＳＧ２の角度１８０度におけるゼロクロスポイントとを一致させてもよく、第１制御信号ＳＧ１の角度１８０度におけるゼロクロスポイントと、第２制御信号の角度０度におけるゼロクロスポイントを一致させてもよい。
さらに、第１制御信号ＳＧ１のゼロクロスポイントが検出されるサンプリングのタイミングと、第２制御信号ＳＧ２のゼロクロスポイントが検出されるサンプリングのタイミングと、がずれない範囲であれば、第１制御信号ＳＧ１のゼロクロスポイントと第２制御信号ＳＧ２のゼロクロスポイントにずれがあってもよい。
【００３５】
前記実施形態では、タイムコード信号は、正弦波状の波形を有していたが、本発明はこれに限られない。
例えば、図９Ａ〜図９Ｃに示されるように、タイムコード信号として、矩形波、のこぎり波、三角波を採用してもよい。
また、前記実施形態では、第１制御信号ＳＧ１の波形、及び第２制御信号ＳＧ２の波形は略相似であり、周波数のみ異なっていたが、本発明はこれに限られない。
例えば、第１制御信号の波形の形状として、図９Ａに示されるような矩形波を採用し、第２制御信号の波形として、図９Ｂに示されるようなのこぎり波を採用してもよい。
【００３６】
前記実施形態では、第１制御信号ＳＧ１、第２制御信号ＳＧ２として連続的な波形のものを採用していたが、図９Ｄ、図９Ｅに示されるように第１制御信号として離散的な波形のものを採用してもよい。
また、前記実施形態では、第１制御信号ＳＧ１の周波数に対して、第２制御信号ＳＧ２の周波数は２倍とされていたが、図９Ｆに示されるように、第２制御信号の周波数を第１制御信号の周波数の４倍としてもよく、２ｎ倍の周波数のものを第２制御信号として採用してもよい。
このような構成にすれば、前記実施形態と比べて専用のレコード盤Ｒの再生速度がより遅い場合でも、前記実施形態と同じ処理時間で音声コンテンツの再生速度の制御処理を行うことができる。
なお、図９Ａ〜図９Ｆに示すタイムコード信号において、第２制御信号ＳＧ２の周波数は、第１制御信号ＳＧ１の周波数の４倍、６倍等、２×ｎ倍であればいずれの大きさであってもよい。
【００３７】
前記実施形態では、チャンネルＣＨ１に第１制御信号ＳＧ１、チャンネルＣＨ２に第２制御信号ＳＧ２を記録し、タイムコード信号としていたが、本発明はこれに限られない。
例えば、１つのチャンネル上に、第１制御信号ＳＧ１及び第２制御信号ＳＧ２を重畳させたタイムコード信号としてもよい。
第１制御信号ＳＧ１及び第２制御信号ＳＧ２は周波数が異なるので、重畳信号からは、ローパスフィルタを通すことで第１制御信号ＳＧ１を取り出し、ハイパスフィルタを通すことで第２制御信号ＳＧ２を取り出すことができる。
なお、前述したＤＶＳの場合、レコード盤の回転数が変動するので、第１制御信号ＳＧ１、第２制御信号ＳＧ２の強度のいずれかの信号強度を他方よりも大きくしてパイロット信号として用い、このパイロット信号の検出周期に基づいて、ハイパスフィルタ、ローパスフィルタのカットオフ周波数を調整すればよい。
【００３８】
前記実施形態では、アナログのレコードプレーヤー２を信号再生装置としていたが、本発明はこれに限られない。
例えば、ＣＤ等の光ディスクにデジタルコンテンツ再生用制御信号を記録し、ＣＤプレーヤーを信号再生装置として用いてもよいし、フラッシュメモリにデジタルコンテンツ再生用制御信号をファイルとして記録しておき、コンピューター等でファイルプレーヤーソフトを用いて再生してもよい。
前記実施形態では、本発明に係るデジタルコンテンツ再生用制御信号を楽曲データの再生用として用いていたが、動画等の映像信号をデジタル処理した後、再生する場合に採用してもよい。
【００３９】
前記実施形態では、レコード盤Ｒをレコードプレーヤー２で操作することにより、タイムコード信号を発生させていたが、本発明はこれに限られない。例えば、アナログ式又はデジタル式の信号発生器により、デジタルコンテンツ再生用制御信号を発生させ、これに基づいてデジタルコンテンツの再生制御を行ってもよい。
前記実施形態では、再生処理部１８がコンピューター４内に設けられていたが、本発明はこれに限らず、再生処理部のみ別体としてもよい。
前記実施形態では、第１制御信号ＳＧ１、第２制御信号ＳＧ２のゼロクロスポイントで再生方向、再生速度、再生位置の判定を行っていたが、本発明はこれに限られない。例えば、電圧信号であれば、ゼロボルトを判定の基準として用いてもよい。さらに、電圧信号に一定のバイアス電圧がかかっているような場合、振幅の中央となるバイアス電圧を判定の基準値としてもよい。
さらに、振幅の１／２の信号強度を判定の基準としてもよい。
【００４０】
前記実施形態では、第１制御信号ＳＧ１の＋側で「０」、「１」、「無視」の判定を行っていたが、本発明はこれに限られない。
例えば、第１制御信号ＳＧ１の−側でこれらの判定を行ってもよい。また、「０」、「１」のうち、一方を＋側で判定し、他方を−側で判定してもよい。
前記実施形態では、第１判定基準値Ａ１で「０」及び「１」の判定を行い、第２判定基準値Ａ２で「０」及び「無視」の判定を行っていたが、本発明はこれに限られない。例えば、第２判定基準値Ａ２を「０」とそれ以外の符号との判定に用い、３値以上の判定を行ってもよい。
【００４１】
前記実施形態では、タイムコード信号という時間的な信号として再生位置の判定を行っていたが、本発明はこれに限られない。再生位置を表現できるのであれば、時間とともにインクリメント又はデクリメントされるカウンタコード等の信号であってもよく、カウンタコードが、ランダム化、疑似ランダム化されたものであってもよい。
その他、本発明の目的を達成できる範囲で他の構造等としてもよい。
【符号の説明】
【００４２】
１…音声再生システム、１１…ハードディスク、１２…アプリケーション記憶部、１３…楽曲記憶部、１４…再生方向判定部、１５…再生速度判定部、１６…再生位置判定部、１７…再生制御部、１８…再生処理部、２…レコードプレーヤー、３…オーディオインターフェース、４…コンピューター、５…ミキサー、６…スピーカー、７…ターンテーブル、８…トーンアーム、９…ピッチコントローラー、Ａ１…第１判定基準値、Ａ２…第２判定基準値、ＣＨ１…チャンネル、ＣＨ２…チャンネル、Ｒ…レコード盤、Ｓ１…手順、Ｓ１０…手順、Ｓ１１…手順、Ｓ１２…手順、Ｓ１３…手順、Ｓ１４…手順、Ｓ１５…手順、Ｓ１６…手順、Ｓ１７…手順、Ｓ１８…手順、Ｓ２…手順、Ｓ３…手順、Ｓ４…手順、Ｓ５…手順、Ｓ６…手順、Ｓ７…手順、Ｓ８…手順、Ｓ９…手順、ＳＧ１…第１制御信号、ＳＧ２…第２制御信号、Ｔ…サンプリング周期、Ｔ０…期間
【国際調査報告】
2017056153.tif 000017
2017056153.tif 000018
2017056153.tif 000019
2017056153.tif 000020